(57)【要約】【課題】基準アプリケーション・プログラムから生成される関連アプリケーション・プログラムにおいて、基準アプリケーション・プログラムから変更された設定項目を把握することができる情報処理装置及びプログラムを提供する。【解決手段】画像形成装置１０は、基準アプリケーション・プログラムから生成される関連アプリケーション・プログラムの画面領域に、基準アプリケーション・プログラムが表示対象とする複数の設定項目の中から抽出される、予め定められた状態から設定値が変更された設定項目を強調して表示させる制御を行うワンタッチアプリ制御部３０を備える。【選択図】図３
2020028034.tif 000002
【特許請求の範囲】
【請求項１】
基準アプリケーション・プログラムから生成される関連アプリケーション・プログラムの画面領域に、前記基準アプリケーション・プログラムが表示対象とする複数の設定項目の中から抽出される、予め定められた状態から設定値が変更された設定項目を強調して表示させる制御を行う制御部を備えた情報処理装置。
【請求項２】
前記予め定められた状態から設定値が変更された設定項目を強調して表示させる制御は、前記関連アプリケーション・プログラムの画面領域に表示させる設定項目の数を、前記基準アプリケーション・プログラムの画面領域に表示させる設定項目の数よりも減少させる制御である請求項１に記載の情報処理装置。
【請求項３】
前記制御部は、前記予め定められた状態から設定値が変更された設定項目を含む予め定められた数の設定項目を、前記関連アプリケーション・プログラムの画面領域に表示させる制御を行う請求項２に記載の情報処理装置。
【請求項４】
前記制御部は、前記予め定められた状態から設定値が変更された設定項目のみを、前記関連アプリケーション・プログラムの画面領域に表示させる制御を行う請求項２又は３に記載の情報処理装置。
【請求項５】
前記予め定められた状態から設定値が変更された設定項目を強調して表示させる制御は、前記予め定められた状態から設定値が変更された設定項目を、前記関連アプリケーション・プログラムの画面領域において他の設定項目よりも序列が高くなる位置に表示させる制御である請求項１に記載の情報処理装置。
【請求項６】
前記制御部は、前記予め定められた状態から設定値が変更された設定項目を、前記関連アプリケーション・プログラムの画面領域における予め定められた方向に沿って順番に表示させる制御を行う請求項５に記載の情報処理装置。
【請求項７】
前記予め定められた状態から設定値が変更された設定項目を強調して表示させる制御は、前記基準アプリケーション・プログラムから前記関連アプリケーション・プログラムを生成する場合、又は、前記関連アプリケーション・プログラムを実行する場合に行われる請求項１〜６のいずれか１項に記載の情報処理装置。
【請求項８】
前記制御部は、前記基準アプリケーション・プログラムの画面領域で非表示とした設定項目を、前記関連アプリケーション・プログラムの画面領域に表示させない制御を更に行う請求項１〜７のいずれか１項に記載の情報処理装置。
【請求項９】
前記予め定められた状態は、自装置が予め定められた使用場所に設置された後の初期状態、及び、自装置が工場出荷されたときの工場出荷状態のいずれか一方である請求項１〜８のいずれか１項に記載の情報処理装置。
【請求項１０】
前記制御部は、前記予め定められた状態から設定値が変更された設定項目から得られる特徴に基づいて、前記関連アプリケーション・プログラムの画面領域に表示させる指示欄の説明文を生成する制御を更に行う請求項１〜９のいずれか１項に記載の情報処理装置。
【請求項１１】
前記関連アプリケーション・プログラムの画面領域に表示させる指示欄の説明文を生成する制御は、前記基準アプリケーション・プログラムから前記関連アプリケーション・プログラムを生成する場合、又は、前記関連アプリケーション・プログラムを実行する場合に行われる請求項１０に記載の情報処理装置。
【請求項１２】
コンピュータを、請求項１〜１１のいずれか１項に記載された情報処理装置が備える制御部として機能させるためのプログラム。
【発明の詳細な説明】
【技術分野】
【０００１】
本発明は、情報処理装置及びプログラムに関する。
【背景技術】
【０００２】
例えば、特許文献１には、装置の基本的な機能を実行する基本アイコンから、基本アイコンに関連する関連アイコンを生成する際に、生成した関連アイコンの機能を直観的に把握することができる情報処理装置が記載されている。この情報処理装置は、ある機能の実行を選択するための基本操作子と、基本操作子と関連性のある関連操作子を含む画面を表示する表示手段と、基本操作子を選択して新たな関連操作子を生成する際に、選択された基本操作子の属性情報を継承して関連操作子を生成する生成手段と、を備える。
【先行技術文献】
【特許文献】
【０００３】
【特許文献１】特開２０１８−６３５０７号公報
【発明の概要】
【発明が解決しようとする課題】
【０００４】
ところで、情報処理装置の一例である画像形成装置は、コピー、電子メール、ファクシミリ、及びスキャン等の基本的な機能を実行するための基準アプリケーション・プログラムを有している。そして、この種の画像形成装置には、基準アプリケーション・プログラムをカスタマイズして生成される関連アプリケーション・プログラムを有しているものもある。
【０００５】
上記関連アプリケーション・プログラムに関する複数の設定項目の少なくとも一部の設定値は、基準アプリケーション・プログラムに関する設定項目の設定値から変更されたものである。しかし、この関連アプリケーション・プログラムの複数の設定項目を表示する画面領域には、基準アプリケーション・プログラムの複数の設定項目が全て表示されてしまうことがある。この場合、関連アプリケーション・プログラムの画面領域を見たユーザは、複数の設定項目のうち、基準アプリケーション・プログラムからの変更点に気が付き難く、関連アプリケーション・プログラムの特徴を把握することが難しい場合がある。
【０００６】
本発明は、基準アプリケーション・プログラムから生成される関連アプリケーション・プログラムにおいて、基準アプリケーション・プログラムから変更された設定項目を把握することができる情報処理装置及びプログラムを提供することを目的とする。
【課題を解決するための手段】
【０００７】
上記目的を達成するために、請求項１に記載の情報処理装置は、基準アプリケーション・プログラムから生成される関連アプリケーション・プログラムの画面領域に、前記基準アプリケーション・プログラムが表示対象とする複数の設定項目の中から抽出される、予め定められた状態から設定値が変更された設定項目を強調して表示させる制御を行う制御部を備えている。
【０００８】
また、請求項２に記載の情報処理装置は、請求項１に記載の発明において、前記予め定められた状態から設定値が変更された設定項目を強調して表示させる制御が、前記関連アプリケーション・プログラムの画面領域に表示させる設定項目の数を、前記基準アプリケーション・プログラムの画面領域に表示させる設定項目の数よりも減少させる制御であるとされている。
【０００９】
また、請求項３に記載の情報処理装置は、請求項２に記載の発明において、前記制御部が、前記予め定められた状態から設定値が変更された設定項目を含む予め定められた数の設定項目を、前記関連アプリケーション・プログラムの画面領域に表示させる制御を行う。
【００１０】
また、請求項４に記載の情報処理装置は、請求項２又は３に記載の発明において、前記制御部が、前記予め定められた状態から設定値が変更された設定項目のみを、前記関連アプリケーション・プログラムの画面領域に表示させる制御を行う。
【００１１】
また、請求項５に記載の情報処理装置は、請求項１に記載の発明において、前記予め定められた状態から設定値が変更された設定項目を強調して表示させる制御が、前記予め定められた状態から設定値が変更された設定項目を、前記関連アプリケーション・プログラムの画面領域において他の設定項目よりも序列が高くなる位置に表示させる制御であるとされている。
【００１２】
また、請求項６に記載の情報処理装置は、請求項５に記載の発明において、前記制御部が、前記予め定められた状態から設定値が変更された設定項目を、前記関連アプリケーション・プログラムの画面領域における予め定められた方向に沿って順番に表示させる制御を行う。
【００１３】
また、請求項７に記載の情報処理装置は、請求項１〜６のいずれか１項に記載の発明において、前記予め定められた状態から設定値が変更された設定項目を強調して表示させる制御が、前記基準アプリケーション・プログラムから前記関連アプリケーション・プログラムを生成する場合、又は、前記関連アプリケーション・プログラムを実行する場合に行われる。
【００１４】
また、請求項８に記載の情報処理装置は、請求項１〜７のいずれか１項に記載の発明において、前記制御部が、前記基準アプリケーション・プログラムの画面領域で非表示とした設定項目を、前記関連アプリケーション・プログラムの画面領域に表示させない制御を更に行う。
【００１５】
また、請求項９に記載の情報処理装置は、請求項１〜８のいずれか１項に記載の発明において、前記予め定められた状態が、自装置が予め定められた使用場所に設置された後の初期状態、及び、自装置が工場出荷されたときの工場出荷状態のいずれか一方であるとされている。
【００１６】
また、請求項１０に記載の情報処理装置は、請求項１〜９のいずれか１項に記載の発明において、前記制御部が、前記予め定められた状態から設定値が変更された設定項目から得られる特徴に基づいて、前記関連アプリケーション・プログラムの画面領域に表示させる指示欄の説明文を生成する制御を更に行う。
【００１７】
また、請求項１１に記載の情報処理装置は、請求項１０に記載の発明において、前記関連アプリケーション・プログラムの画面領域に表示させる指示欄の説明文を生成する制御が、前記基準アプリケーション・プログラムから前記関連アプリケーション・プログラムを生成する場合、又は、前記関連アプリケーション・プログラムを実行する場合に行われる。
【００１８】
更に、上記目的を達成するために、請求項１２に記載のプログラムは、コンピュータを、請求項１〜１１のいずれか１項に記載の情報処理装置が備える制御部として機能させる。
【発明の効果】
【００１９】
請求項１及び請求項１２に係る発明によれば、基準アプリケーション・プログラムの設定項目を、基準アプリケーション・プログラムから生成される関連アプリケーション・プログラムの画面領域に全て表示する場合と比較して、関連アプリケーション・プログラムの特徴を容易に把握することができる。
【００２０】
請求項２に係る発明によれば、表示させる設定項目の数を減少させる制御を行わない場合と比較して、関連アプリケーション・プログラムの特徴を更に容易に把握することができる。
【００２１】
請求項３に係る発明によれば、設定値が変更された設定項目を含む予め定められた数の設定項目を表示させる制御を行わない場合と比較して、関連アプリケーション・プログラムの特徴を更に容易に把握することができる。
【００２２】
請求項４に係る発明によれば、設定値が変更された設定項目のみを表示させる制御を行わない場合と比較して、関連アプリケーション・プログラムの特徴を更に容易に把握することができる。
【００２３】
請求項５に係る発明によれば、設定値が変更された設定項目を他の設定項目よりも序列が高い位置に表示させる制御を行わない場合と比較して、関連アプリケーション・プログラムの特徴を更に容易に把握することができる。
【００２４】
請求項６に係る発明によれば、設定値が変更された設定項目を予め定められた方向に沿って順番に表示させる制御を行わない場合と比較して、関連アプリケーション・プログラムの特徴を更に容易に把握することができる。
【００２５】
請求項７に係る発明によれば、設定値が変更された設定項目を強調して表示させるタイミングを考慮しない場合と比較して、関連アプリケーション・プログラムの特徴を更に容易に把握することができる。
【００２６】
請求項８に係る発明によれば、基準アプリケーション・プログラムで非表示とした設定項目を表示させない制御を行わない場合と比較して、関連アプリケーション・プログラムの特徴を更に容易に把握することができる。
【００２７】
請求項９に係る発明によれば、設定項目の設定値の変更前の状態を考慮しない場合と比較して、関連アプリケーション・プログラムの特徴を更に容易に把握することができる。
【００２８】
請求項１０に係る発明によれば、設定値が変更された設定項目から得られる特徴を考慮しない場合と比較して、より分かり易い説明文を得ることができる。
【００２９】
請求項１１に係る発明によれば、説明文を生成するタイミングを考慮しない場合と比較して、より分かり易い説明文を得ることができる。
【図面の簡単な説明】
【００３０】
【図１】第１の実施形態に係る画像形成システムの構成の一例を示す図である。
【図２】第１の実施形態に係る画像形成装置の電気的な構成の一例を示すブロック図である。
【図３】第１の実施形態に係る画像形成装置の機能的な構成の一例を示すブロック図である。
【図４】実施形態に係るホーム画面の一例を示す正面図である。
【図５】（Ａ）は実施形態に係る親アプリの初期状態における設定項目リストの一例を示す正面図である。（Ｂ）は実施形態に係る親アプリの全設定項目を表示した設定項目リストの一例を示す正面図である。（Ｃ）は実施形態に係る親アプリのカスタマイズ機能設定画面の一例を示す正面図である。
【図６】第１の実施形態に係るワンタッチアプリ生成時における制御プログラムによる処理の流れの一例を示すフローチャートである。
【図７】第１の実施形態に係るワンタッチアプリ実行時における制御プログラムによる処理の流れの一例を示すフローチャートである。
【図８】実施形態に係るワンタッチアプリ生成方法における画面遷移の一例を示す図である。
【図９】（Ａ）は比較例に係る親アプリの設定項目リストの一例を示す正面図である。（Ｂ）は比較例に係るワンタッチアプリの確認画面の一例を示す正面図である。
【図１０】実施形態に係るワンタッチアプリの確認画面の一例を示す正面図である。
【図１１】実施形態に係るワンタッチアプリの確認画面の他の例を示す正面図である。
【図１２】実施形態に係るワンタッチアプリの確認画面の他の例を示す正面図である。
【図１３】（Ａ）は実施形態に係る親アプリの設定項目リストの他の例を示す正面図である。（Ｂ）は実施形態に係るワンタッチアプリの確認画面の他の例を示す正面図である。
【図１４】（Ａ）は実施形態に係る親アプリの設定項目リストの他の例を示す正面図である。（Ｂ）は実施形態に係るワンタッチアプリの確認画面の他の例を示す正面図である。
【図１５】（Ａ）は実施形態に係る親アプリの設定項目リストの他の例を示す正面図である。（Ｂ）は実施形態に係るワンタッチアプリの確認画面の他の例を示す正面図である。
【図１６】第２の実施形態に係るワンタッチアプリ生成時における制御プログラムによる処理の流れの一例を示すフローチャートである。
【図１７】比較例に係るワンタッチアプリの説明文生成方法における画面遷移の一例を示す図である。
【図１８】実施形態に係るワンタッチアプリの説明文生成方法における画面遷移の一例を示す図である。
【図１９】実施形態に係るワンタッチアプリの説明文生成方法における画面遷移の他の例を示す図である。
【図２０】（Ａ）は実施形態に係るホーム画面の他の例を示す正面図である。（Ｂ）はワンタッチアプリの生成時に説明文を生成した場合の確認画面の一例を示す正面図である。（Ｃ）はワンタッチアプリの実行時に説明文を生成した場合の確認画面の一例を示す正面図である。
【図２１】（Ａ）は実施形態に係る電子メールアプリのアドレス帳画面の一例を示す正面図である。（Ｂ）は実施形態に係る電子メールアプリのグループ編集画面の一例を示す正面図である。
【図２２】比較例に係るワンタッチアプリの説明文生成方法における画面遷移の他の例を示す図である。
【図２３】実施形態に係るワンタッチアプリの説明文生成方法における画面遷移の他の例を示す図である。
【発明を実施するための形態】
【００３１】
以下、図面を参照して、本発明を実施するための形態の一例について詳細に説明する。
【００３２】
[第１の実施形態]
図１は、第１の実施形態に係る画像形成システム９０の構成の一例を示す図である。
図１に示すように、本実施形態に係る画像形成システム９０は、画像形成装置１０と、端末装置５０と、を備えている。なお、画像形成装置１０は、情報処理装置の一例である。
【００３３】
端末装置５０には、例えば、パーソナルコンピュータ（ＰＣ：Personal Computer）や、スマートフォン、タブレット端末等が適用される。端末装置５０は、印刷データを生成し、生成した印刷データを、ネットワークＮを介して画像形成装置１０に送信する。画像形成装置１０は、端末装置５０から送信された印刷データを受け付けて、印刷データに応じた画像を用紙等の記録媒体に形成する。なお、ネットワークＮには、一例として、インターネットや、ＬＡＮ（Local Area Network）、ＷＡＮ（Wide Area Network）等が適用される。
【００３４】
図２は、第１の実施形態に係る画像形成装置１０の電気的な構成の一例を示すブロック図である。
図２に示すように、本実施形態に係る画像形成装置１０は、制御部１２と、記憶部１４と、表示部１６と、操作部１８と、画像形成部２０と、原稿読取部２２と、通信部２４と、を備えている。
【００３５】
制御部１２は、ＣＰＵ（Central Processing Unit）１２Ａ、ＲＯＭ（Read Only Memory）１２Ｂ、ＲＡＭ（Random Access Memory）１２Ｃ、及び入出力インターフェース（Ｉ／Ｏ）１２Ｄを備えており、これら各部がバスを介して各々接続されている。
【００３６】
Ｉ／Ｏ１２Ｄには、記憶部１４と、表示部１６と、操作部１８と、画像形成部２０と、原稿読取部２２と、通信部２４と、を含む各機能部が接続されている。これらの各機能部は、Ｉ／Ｏ１２Ｄを介して、ＣＰＵ１２Ａと相互に通信可能とされる。
【００３７】
制御部１２は、画像形成装置１０の一部の動作を制御するサブ制御部として構成されてもよいし、画像形成装置１０の全体の動作を制御するメイン制御部の一部として構成されてもよい。制御部１２の各ブロックの一部又は全部には、例えば、ＬＳＩ（Large Scale Integration）等の集積回路又はＩＣ（Integrated Circuit）チップセットが用いられる。上記各ブロックに個別の回路を用いてもよいし、一部又は全部を集積した回路を用いてもよい。上記各ブロック同士が一体として設けられてもよいし、一部のブロックが別に設けられてもよい。また、上記各ブロックのそれぞれにおいて、その一部が別に設けられてもよい。制御部１２の集積化には、ＬＳＩに限らず、専用回路又は汎用プロセッサを用いてもよい。
【００３８】
記憶部１４としては、例えば、ＨＤＤ（Hard Disk Drive）、ＳＳＤ（Solid State Drive）、フラッシュメモリ等が用いられる。記憶部１４には、本実施形態に係る関連アプリケーション・プログラムの生成及び実行を制御するための制御プログラム１４Ａが記憶される。なお、この制御プログラム１４Ａは、ＲＯＭ１２Ｂに記憶されていてもよい。
【００３９】
制御プログラム１４Ａは、例えば、画像形成装置１０に予めインストールされていてもよい。制御プログラム１４Ａは、不揮発性の記憶媒体に記憶して、又はネットワークＮを介して配布して、画像形成装置１０に適宜インストールすることで実現してもよい。なお、不揮発性の記憶媒体の例としては、ＣＤ-ＲＯＭ（Compact Disc Read Only Memory）、光磁気ディスク、ＨＤＤ、ＤＶＤ-ＲＯＭ（Digital Versatile Disc Read Only Memory）、フラッシュメモリ、メモリカード等が想定される。
【００４０】
表示部１６には、例えば、液晶ディスプレイ（ＬＣＤ:Liquid Crystal Display）や有機ＥＬ（Electro Luminescence）ディスプレイ等が用いられる。表示部１６は、タッチパネルを一体的に有している。操作部１８には、テンキーやスタートキー等の各種の操作キーが設けられている。表示部１６及び操作部１８は、画像形成装置１０のユーザから各種の指示を受け付ける。この各種の指示には、例えば、原稿の読み取りを開始させる指示や、原稿のコピーを開始させる指示等が含まれる。表示部１６は、ユーザから受け付けた指示に応じて実行された処理の結果や、処理に対する通知等の各種の情報を表示する。
【００４１】
原稿読取部２２は、画像形成装置１０の上部に設けられた図示しない自動原稿送り装置の給紙台に置かれた原稿を１枚ずつ取り込み、取り込んだ原稿を光学的に読み取って画像情報を得る。あるいは、原稿読取部２２は、プラテンガラス等の原稿台に置かれた原稿を光学的に読み取って画像情報を得る。
【００４２】
画像形成部２０は、原稿読取部２２による読み取りによって得られた画像情報、又は、ネットワークＮを介して接続された外部のＰＣ等から得られた画像情報に基づく画像を、紙等の記録媒体に形成する。なお、本実施形態においては、画像を形成する方式として、電子写真方式を例示して説明するが、インクジェット方式等の他の方式を採用してもよい。
【００４３】
画像を形成する方式が電子写真方式の場合、画像形成部２０は、感光体ドラム、帯電部、露光部、現像部、転写部、及び定着部を含む。帯電部は、感光体ドラムに電圧を印加して感光体ドラムの表面を帯電させる。露光部は、帯電部で帯電された感光体ドラムを画像情報に応じた光で露光することにより感光体ドラムに静電潜像を形成する。現像部は、感光体ドラムに形成された静電潜像をトナーにより現像することで感光体ドラムにトナー像を形成する。転写部は、感光体ドラムに形成されたトナー像を記録媒体に転写する。定着部は、記録媒体に転写されたトナー像を加熱及び加圧により定着させる。
【００４４】
通信部２４は、インターネットや、ＬＡＮ、ＷＡＮ等のネットワークＮに接続されており、外部のＰＣ等との間でネットワークＮを介して通信が可能とされる。
【００４５】
ところで、上述したように、関連アプリケーション・プログラムの複数の設定項目を表示する画面領域には、基準アプリケーション・プログラムの複数の設定項目が全て表示されてしまうことがある。この場合、関連アプリケーション・プログラムの画面領域を見たユーザは、複数の設定項目のうち、基準アプリケーション・プログラムからの変更点に気が付き難く、関連アプリケーション・プログラムの特徴を把握することが難しい場合がある。
【００４６】
以下、説明を簡易にするため、アプリケーション・プログラムを単に「アプリ」といい、基準アプリケーション・プログラムを「親アプリ」といい、関連アプリケーション・プログラムを「子アプリ」という。ここでいう子アプリとは、親アプリをカスタマイズ等することにより生成されるアプリを意味する。本実施形態においては、子アプリの一例として、所謂ワンタッチアプリケーション・プログラム（以下、「ワンタッチアプリ」という。）を適用した場合について説明する。このワンタッチアプリとは、コピーや、スキャン、ファクシミリ等の予め定められた処理が、予め定められた設定内容に基づいて実行されるアプリであり、親アプリから生成されるアプリである。
【００４７】
本実施形態に係る画像形成装置１０のＣＰＵ１２Ａは、記憶部１４に記憶されている制御プログラム１４ＡをＲＡＭ１２Ｃに書き込んで実行することにより、図３に示すワンタッチアプリ制御部として機能する。
【００４８】
図３は、第１の実施形態に係る画像形成装置１０の機能的な構成の一例を示すブロック図である。
図３に示すように、本実施形態に係る画像形成装置１０のＣＰＵ１２Ａは、ワンタッチアプリ制御部３０として機能する。ワンタッチアプリ制御部３０は、制御部の一例である。
【００４９】
本実施形態に係るワンタッチアプリ制御部３０は、ワンタッチアプリの画面領域に、親アプリが表示対象とする複数の設定項目の中から抽出される、予め定められた状態から設定値が変更された設定項目を強調して表示部１６に表示させる制御（以下では、「強調表示制御」という。）を行う。ここでいう予め定められた状態とは、一例として、自装置（画像形成装置１０）が予め定められた使用場所に設置された後の初期状態、及び、自装置が工場出荷されたときの工場出荷状態のいずれか一方とされている。なお、予め定められた使用場所とは、例えば、自装置の納入先となる会社等のオフィスや工場等である。
【００５０】
なお、本実施形態に係る記憶部１４には、親アプリの設定値を示す親アプリ設定値、ワンタッチアプリの設定値を示すワンタッチアプリ設定値、及びワンタッチアプリの設定項目のリストを示す設定項目リストが記憶されている。
【００５１】
ワンタッチアプリ制御部３０による強調表示制御とは、例えば、ワンタッチアプリの画面領域に表示させる設定項目の数を、親アプリの画面領域に表示させる設定項目の数よりも減少させる制御である。この場合、ワンタッチアプリ制御部３０は、予め定められた状態から設定値が変更された設定項目を含む予め定められた数の設定項目を、ワンタッチアプリの画面領域に表示させる制御を行う。例えば、変更された設定項目を含むＮ個の設定項目を表示させる。より望ましくは、ワンタッチアプリ制御部３０は、予め定められた状態から設定値が変更された設定項目のみを、ワンタッチアプリの画面領域に表示させる制御を行う。
【００５２】
また、ワンタッチアプリ制御部３０による強調表示制御としては、予め定められた状態から設定値が変更された設定項目を、ワンタッチアプリの画面領域において他の設定項目よりも序列が高くなる位置に表示させる制御としてもよい。この場合、ワンタッチアプリ制御部３０は、予め定められた状態から設定値が変更された設定項目を、ワンタッチアプリの画面領域における予め定められた方向に沿って順番に表示させる制御を行う。例えば、ワンタッチアプリの画面領域の上から下に向けて順番に表示させる制御を行う。すなわち、序列が高くなる位置とは、設定項目の並び順が規定されており、その並び順において何かしらの優先度（重要度）が規定されている場合に、並び順における優先度が高い位置のことを指す。具体的には、上下にスクロールする画面であれば、アプリは上下一列に並び、上側の方が画面に最初に表示されるという意味で優先度（重要度）が高く規定されている場合は、設定値が変更された設定項目が上側に表示されるように制御される。また、それ以外にも、左から右にアプリが並ぶ場合、ジグザグ状（Ｚ字状）にアプリが並ぶ場合など複数の序列、優先度（重要度）の設定が考えられるが、それらに対して適用できることは言うまでもない。
【００５３】
また、ワンタッチアプリ制御部３０による強調表示制御は、親アプリからワンタッチアプリを生成する場合、又は、ワンタッチアプリを実行する場合に行われる。
【００５４】
また、ワンタッチアプリ制御部３０は、親アプリの画面領域で非表示とした設定項目を、ワンタッチアプリの画面領域に表示させない制御を行ってもよい。
【００５５】
次に、図４、図５（Ａ）〜図５（Ｃ）を参照して、ホーム画面及び親アプリの画面領域の一例について説明する。
【００５６】
図４は、本実施形態に係るホーム画面の一例を示す正面図である。
図４に示すホーム画面は、表示部１６にタッチ操作可能に表示され、複数の機能の実行を選択するための複数のアイコンを含んでいる。本実施形態においては、コピー、電子メール、ファックス、スキャン、機器設定、及び７０％コピーワンタッチの各々に対応するアイコンが表示されている。
【００５７】
なお、コピー、電子メール、ファックス、及びスキャンは、親アプリの一例である。一方、７０％コピーワンタッチは、親アプリ（ここではコピー・アプリケーション・プログラム）から生成され、７０％に縮小するコピーを実行するためのワンタッチアプリの一例である。
【００５８】
図４に示すように、コピーアイコンは、コピー機能の実行を選択するためのアイコンであり、ユーザが指等でタッチして選択することにより、コピー・アプリケーション・プログラム（以下、「コピーアプリ」ともいう。）が起動してユーザがコピー機能を利用することが可能とされる。同様に、電子メールアイコンは、電子メール機能の実行を選択するためのアイコンであり、ファックスアイコンは、ファクシミリ機能の実行を選択するためのアイコンであり、スキャンアイコンは、スキャン機能の実行を選択するためのアイコンである。
【００５９】
なお、ここでいうアイコンとは、操作画面上に表示され、特定のアプリを起動させたり、特定の画面に遷移したりするための操作位置を示すための絵柄図形等により表される操作子である。
【００６０】
図５（Ａ）は、本実施形態に係る親アプリの初期状態における設定項目リストの一例を示す正面図である。また、図５（Ｂ）は、本実施形態に係る親アプリの全設定項目を表示した設定項目リストの一例を示す正面図である。また、図５（Ｃ）は、本実施形態に係る親アプリのカスタマイズ機能設定画面の一例を示す正面図である。
【００６１】
上述の図４に示すホーム画面のコピーアイコンが選択されると、図５（Ａ）に示す設定項目リストが表示される。図５（Ａ）に示す設定項目リストは、親アプリの一例であるコピーアプリの設定項目リストである。図５（Ａ）に示す設定項目リストでは、コピーアプリの設定項目の全項目ではなく、特定の設定項目だけが選択的に表示されている。一方、図５（Ｂ）に示す設定項目リストでは、コピーアプリの設定項目が全て表示されている。コピーアプリの設定項目を全て表示するか否かは、切替ボタン（図示省略）を押圧操作することで切り替えることが可能とされる。また、図５（Ｃ）に示すカスタマイズ機能設定画面では、例えば、設定項目毎に表示及び非表示のいずれかを設定可能とする。図５（Ｃ）に示す例では、設定項目「部単位」が非表示に設定されている。
【００６２】
次に、図６及び図７を参照して、第１の実施形態に係る画像形成装置１０の作用を説明する。
【００６３】
図６は、第１の実施形態に係るワンタッチアプリ生成時における制御プログラム１４Ａによる処理の流れの一例を示すフローチャートである。
【００６４】
まず、画像形成装置１０が起動され、図４に示すホーム画面が表示部１６に表示されると、制御プログラム１４Ａが起動され、以下の各ステップを実行する。
【００６５】
図６のステップ１００では、ワンタッチアプリ制御部３０が、一例として、図５（Ａ）に示す親アプリ（本実施形態ではコピーアプリ）の画面領域から、ワンタッチアプリの生成の指示を受け付ける。
【００６６】
ステップ１０２では、ワンタッチアプリ制御部３０が、ワンタッチアプリの設定値を受け付け、ワンタッチアプリ設定値として記憶部１４に記憶する。なお、親アプリの設定値は、親アプリ設定値として記憶部１４に予め記憶されている。
【００６７】
ステップ１０４では、ワンタッチアプリ制御部３０が、記憶部１４から、親アプリ設定値及びワンタッチアプリ設定値を取得し、取得した親アプリ及びワンタッチアプリの各々の設定値を比較する。
【００６８】
ステップ１０６では、ワンタッチアプリ制御部３０が、設定値が変更された設定項目を特定する。
【００６９】
ステップ１０８では、ワンタッチアプリ制御部３０が、ステップ１０６で特定した設定項目の強調表示が反映された設定項目リストを生成し、生成した設定項目リストをワンタッチアプリの属性として記憶部１４に格納する。
【００７０】
ステップ１１０では、ワンタッチアプリ制御部３０が、ワンタッチアプリのアイコンを生成し、生成したアイコンを図４に示すホーム画面に登録する。
【００７１】
ステップ１１２では、ワンタッチアプリ制御部３０が、ステップ１１０で登録したワンタッチアプリのアイコンの押圧操作を受け付けたか否かを判定する。ワンタッチアプリのアイコンの押圧操作を受け付けたと判定した場合（肯定判定の場合）、ステップ１１４に移行し、ワンタッチアプリのアイコンの押圧操作を受け付けないと判定した場合（否定判定の場合）、ステップ１００に戻り待機となる。
【００７２】
ステップ１１４では、ワンタッチアプリ制御部３０が、ステップ１０８で記憶部１４に格納した設定項目リストを、ワンタッチアプリの確認画面として表示し、本制御プログラム１４Ａによる一連の処理を終了する。
【００７３】
図７は、第１の実施形態に係るワンタッチアプリ実行時における制御プログラム１４Ａによる処理の流れの一例を示すフローチャートである。
【００７４】
まず、画像形成装置１０が起動され、図４に示すホーム画面が表示部１６に表示されると、制御プログラム１４Ａが起動され、以下の各ステップを実行する。なお、本実施形態では、ワンタッチアプリのアイコンが図４に示すホーム画面に登録されている場合について説明する。
【００７５】
図７のステップ１２０では、ワンタッチアプリ制御部３０が、ワンタッチアプリの実行の指示を受け付ける。
【００７６】
ステップ１２２では、ワンタッチアプリ制御部３０が、ワンタッチアプリが即時実行型か否かを判定する。ワンタッチアプリが即時実行型であると判定した場合（肯定判定の場合）、ステップ１３２に移行し、ワンタッチアプリが即時実行型ではないと判定した場合（否定判定の場合）、ステップ１２４に移行する。
【００７７】
ステップ１２４では、ワンタッチアプリ制御部３０が、記憶部１４から、親アプリ設定値及びワンタッチアプリ設定値を取得し、取得した親アプリ及びワンタッチアプリの各々の設定値を比較する。
【００７８】
ステップ１２６では、ワンタッチアプリ制御部３０が、設定値が変更された設定項目を特定する。
【００７９】
ステップ１２８では、ワンタッチアプリ制御部３０が、ステップ１２６で特定した設定項目の強調表示が反映された設定項目リストを生成し、生成した設定項目リストをワンタッチアプリの確認画面として表示部１６に表示させる。
【００８０】
ステップ１３０では、ワンタッチアプリ制御部３０が、ステップ１２８で表示させたワンタッチアプリの確認画面を介して、ワンタッチアプリの実行指示が有ったか否かを判定する。ワンタッチアプリの実行指示が有ったと判定した場合（肯定判定の場合）、ステップ１３２に移行し、ワンタッチアプリの実行指示が無いと判定した場合（否定判定の場合）、ステップ１３０で待機となる。
【００８１】
ステップ１３２では、ワンタッチアプリ制御部３０が、ワンタッチアプリを実行し、本制御プログラム１４Ａによる一連の処理を終了する。
【００８２】
次に、図８を参照して、本実施形態に係る画像形成装置１０によるワンタッチアプリ生成方法について更に具体的に説明する。
【００８３】
図８は、本実施形態に係るワンタッチアプリ生成方法における画面遷移の一例を示す図である。
【００８４】
（Ｓ１）では、ユーザが、一例として、図５（Ａ）又は図５（Ｂ）に示す設定項目リストから、「登録」ボタンを操作すると、設定値の登録目的を選択するための選択画面がポップアップ画面として表示される。ここでは、ユーザがワンタッチアプリを生成しようとしているため、表示された選択肢の中から、「ワンタッチアプリとして登録」という選択肢が選択される。
【００８５】
（Ｓ２）では、ワンタッチアプリの名前を入力するための名前入力画面が表示される。ここでは、ユーザが、一例として、「７０％コピーワンタッチ」という名前を入力する。そして、ユーザは「次へ」ボタンを押圧操作する。
【００８６】
（Ｓ３）では、ワンタッチアプリのアイコンを選択するためのアイコン選択画面が表示される。このアイコン選択画面では、生成されるワンタッチアプリのアイコンの形状をユーザの好みに応じて選択することが可能とされる。そして、ユーザは「次へ」ボタンを押圧操作する。
【００８７】
（Ｓ４）では、ワンタッチアプリのアイコンのテーマカラーを選択するためのテーマカラー選択画面が表示される。このテーマカラー選択画面では、生成されるワンタッチアプリのアイコンのテーマカラーをユーザの好みに応じて選択することが可能とされる。そして、ユーザは「次へ」ボタンを押圧操作する。
【００８８】
（Ｓ５）では、ワンタッチアプリの実行モードを選択するための実行モード選択画面が表示される。この実行モード選択画面では、「確認後実行モード」と「即時実行モード」という２つの実行モードが選択可能となっている。「確認後実行モード」とは、ワンタッチアプリのアイコンが選択された場合に、このワンタッチアプリのアイコンに対応したワンタッチアプリを即座に実行せず、ユーザに対して設定項目リストを含む確認画面を表示した後に、当該ユーザによりワンタッチアプリの実行が指示された場合に、ワンタッチアプリを実行するモードである。一方、「即時実行モード」とは、ワンタッチアプリのアイコンが選択された場合に、このワンタッチアプリのアイコンに対応したワンタッチアプリを即座に実行するモードである。この実行モード選択画面では、「確認後実行モード」が選択されている。そして、ユーザは「次へ」ボタンを押圧操作する。
【００８９】
（Ｓ６）では、「確認後実行モード」が選択された場合に、確認画面に表示させる説明文（インストラクション）を入力するための説明文入力画面が表示される。ここでは、初期状態（デフォルト）の一例として、「原稿をセットしてスタートボタンを押して下さい。」という説明文が表示されている。この初期状態の説明文はユーザにより適宜編集することが可能とされている。
【００９０】
ここで、今回生成しているワンタッチアプリの親アプリがコピーアプリであるため、「スタートボタン」という単語が初期状態において入力されている。但し、生成しているワンタッチアプリの親アプリが電子メールアプリである場合、一例として、「送信ボタン」という単語が初期状態において入力される。つまり、初期状態では、生成されるワンタッチアプリの親アプリの種類に応じて、予め設定された単語が予め設定された説明文に組み込まれた状態で表示される。そして、ユーザは「次へ」ボタンを押圧操作する。
【００９１】
（Ｓ７）では、ワンタッチアプリの設定内容を選択するための設定内容選択画面が表示される。この設定内容選択画面では、「印刷部数を表示」と「設定項目を表示」という２つの選択画面が含まれる。「印刷部数を表示」が選択されると、ワンタッチアプリに設定する印刷部数を入力するための画面が表示される。「設定項目を表示」が選択されると、ワンタッチアプリの各設定項目の設定値を入力するための画面が表示される。そして、ユーザが「完了」ボタンを押圧操作すると、ワンタッチアプリが生成され、図４に示すホーム画面に、ワンタッチアプリのアイコンが登録される。
【００９２】
次に、図９（Ａ）及び図９（Ｂ）を参照して、比較例に係る複数の設定項目の表示例について説明する。
【００９３】
図９（Ａ）は、比較例に係る親アプリの設定項目リストの一例を示す正面図である。
また、図９（Ｂ）は、比較例に係るワンタッチアプリの確認画面の一例を示す正面図である。
【００９４】
図９（Ａ）に示す親アプリの一例であるコピーアプリの設定項目リストのうち、「両面」、「給紙トレイ」、及び「縮小／拡大」の３つの設定項目の設定値を変更してワンタッチアプリの一例である「ワンタッチアプリコピー」を生成する。そして、図９（Ｂ）に示す「ワンタッチアプリコピー」のアイコン４０が登録される。
【００９５】
図９（Ｂ）に示すように、ユーザが「ワンタッチアプリコピー」のアイコン４０を押圧操作すると、「ワンタッチアプリコピー」の設定項目リストを含む確認画面が表示される。この設定項目リストでは、矢印で示す「両面」、「給紙トレイ」、及び「縮小／拡大」の各設定項目の設定値が変更されているが、親アプリであるコピーアプリの設定項目が全て表示されるため、ユーザが一見してどの設定項目が変更されているかを把握することは困難である。
【００９６】
図１０は、本実施形態に係るワンタッチアプリの確認画面の一例を示す正面図である。
【００９７】
図１０に示す確認画面の設定項目リストには、一例として、設定値が変更された設定項目のみが表示されている。つまり、設定値が変更された「両面」、「給紙トレイ」、及び「縮小／拡大」の３つの設定項目のみが表示されているため、ユーザは一見して変更された設定項目を把握することが可能とされる。
【００９８】
なお、上述したように、例えば、ワンタッチアプリの設定項目の数を、親アプリの設定項目の数よりも減少させるようにしてもよいし、設定値が変更された設定項目を含む予め定められた数の設定項目を、ワンタッチアプリの設定項目リストとして表示させてもよい。
【００９９】
図１１は、本実施形態に係るワンタッチアプリの確認画面の他の例を示す正面図である。
【０１００】
図１１に示す確認画面の設定項目リストには、設定値が変更された設定項目が他の設定項目よりも序列の高い位置に表示されている。具体的には、設定値が変更された設定項目が先頭に寄せられて表示されている。つまり、設定値が変更された「両面」、「給紙トレイ」、及び「縮小／拡大」の３つの設定項目が先頭から順番に表示されているため、ユーザは一見して変更された設定項目を把握することが可能とされる。また、設定値が変更された設定項目を先頭に寄せて表示することで、画面でのスクロールの量が減少する。
【０１０１】
図１２は、本実施形態に係るワンタッチアプリの確認画面の他の例を示す正面図である。
【０１０２】
図１２に示すように、ワンタッチアプリの設定項目リストは、設定値が変更された設定項目を他の設定項目よりも序列の高い位置に表示し、かつ、親アプリで表示されていた設定項目を引き継ぐようにしてもよい。ここでいう親アプリで表示されていた設定項目とは、例えば、上述の図５（Ａ）に示す設定項目である。また、親アプリで非表示とした設定項目は、ワンタッチアプリでも非表示としてもよい。
【０１０３】
上記では、ワンタッチアプリ制御部３０による強調表示制御の各種形態について説明した。つまり、この強調表示制御では、以下に示す形態が適用される。
（１）ワンタッチアプリの画面領域に表示させる設定項目の数を、親アプリの画面領域に表示させる設定項目の数よりも減少させる。
（２）設定値が変更された設定項目を、他の設定項目よりも序列の高くなる位置に表示させる。
（３）設定値が変更された設定項目を、設定値が変更されていない設定項目よりも目立つように設定項目の見た目を変更して表示させる。（３）の場合、設定項目の表示に用いるフォントの種類や、サイズ、色等の変更を行ってもよいし、太字、斜体、下線等の文字飾りを付与してもよい。
【０１０４】
ここで、ユーザが画像形成装置１０を設置した後に、親アプリの初期設定、つまり、工場出荷時の設定を変更している場合がある。そこで、図１３（Ａ）及び図１３（Ｂ）に示すように、ワンタッチアプリの設定項目の設定値を比較する際に、親アプリの現在の初期設定値ではなく、工場出荷時の設定値と比較するほうが望ましい場合がある。
【０１０５】
図１３（Ａ）は、本実施形態に係る親アプリの設定項目リストの他の例を示す正面図である。
また、図１３（Ｂ）は、本実施形態に係るワンタッチアプリの確認画面の他の例を示す正面図である。
【０１０６】
図１３（Ａ）に示す親アプリの一例であるコピーアプリの設定項目リストのうち、「出力色」、「両面」、「給紙トレイ」、及び「縮小／拡大」の４つの設定項目を変更してワンタッチアプリの一例である「ワンタッチアプリコピー」を生成する。但し、「出力色」の現在の初期設定値は、工場出荷時の「自動」から「白黒」に変更され、「出力色」以外の「両面」、「給紙トレイ」、及び「縮小／拡大」の各々の現在の初期設定値は、工場出荷時のままである。この場合、ワンタッチアプリでは、「出力色」の設定値が「白黒」から「自動」に変更され、「両面」、「給紙トレイ」、及び「縮小／拡大」の各々の設定値が変更される。
【０１０７】
図１３（Ｂ）に示すように、ユーザが「ワンタッチアプリコピー」のアイコン４０を押圧操作すると、「ワンタッチアプリコピー」の設定項目リストを含む確認画面が表示される。この設定項目リストでは、「両面」、「給紙トレイ」、及び「縮小／拡大」は工場出荷時の設定値から変更されているが、「出力色」は工場出荷時の「自動」から変更されていないことになる。このため、「出力色」は強調表示の対象から除外される。なお、この場合、「出力色」を非表示としてもよい。
【０１０８】
次に、図１４（Ａ）及び図１４（Ｂ）に示すように、ユーザがワンタッチアプリに表示させたい設定項目を選択するようにしてもよい。
【０１０９】
図１４（Ａ）は、本実施形態に係る親アプリの設定項目リストの他の例を示す正面図である。
また、図１４（Ｂ）は、本実施形態に係るワンタッチアプリの確認画面の他の例を示す正面図である。
【０１１０】
図１４（Ａ）の左図に示す親アプリの一例であるコピーアプリの設定項目リストは、ユーザにより「設定項目を表示」（図８参照）が選択されると、各設定項目が「ゴミ箱」のアイコンと共に表示される。この場合、ユーザが不要と判断した設定項目の「ゴミ箱」を選択すると、対応する設定項目が表示対象から除外される。
【０１１１】
図１４（Ａ）の右図に示す設定項目リストは、図１４（Ａ）の左図に示す設定項目リストから、不要な設定項目を除外した後のコピーアプリの設定項目リストを示している。
【０１１２】
図１４（Ｂ）に示すように、ユーザが「ワンタッチアプリコピー」のアイコン４０を押圧操作すると、「ワンタッチアプリコピー」の設定項目リストを含む確認画面が表示される。この設定項目リストでは、ユーザがコピーアプリで表示対象から除外した設定項目が表示対象から除外されている。
【０１１３】
次に、図１５（Ａ）及び図１５（Ｂ）に示すように、ユーザがワンタッチアプリにおいて一時的に設定値を変更可能とした設定項目のみを表示するようにしてもよい。
【０１１４】
図１５（Ａ）は、本実施形態に係る親アプリの設定項目リストの他の例を示す正面図である。
また、図１５（Ｂ）は、本実施形態に係るワンタッチアプリの確認画面の他の例を示す正面図である。
【０１１５】
図１５（Ａ）に示す親アプリの一例であるコピーアプリの設定項目リストは、ユーザにより「設定項目を表示」（図８参照）が選択されると、各設定項目が「ＥＤＩＴ」のアイコンと共に表示される。この場合、ユーザが一時的に設定値を変更すると判断した設定項目の「ＥＤＩＴ」を選択すると、対応する設定項目の設定値が変更される。ここでは、「縮小／拡大」及び「出力色」の２つの設定項目が対象とされる。
【０１１６】
図１５（Ｂ）に示すように、ユーザが「ワンタッチアプリコピー」のアイコン４０を押圧操作すると、「ワンタッチアプリコピー」の設定項目リストを含む確認画面が表示される。この設定項目リストでは、ユーザが一時的に設定値を変更するとした設定項目のみが表示されている。
【０１１７】
[第２の実施形態]
上記第１の実施形態では、親アプリからワンタッチアプリを生成する場合に、設定値が変更された設定項目を強調表示する形態について説明した。本実施形態では、ワンタッチアプリの生成時又は実行時に、ワンタッチアプリの操作を指示するための説明文を生成する形態について説明する。
【０１１８】
まず、上述の図３を参照して、第２の実施形態に係る画像形成装置１０の構成について説明する。
【０１１９】
本実施形態に係るワンタッチアプリ制御部３０は、設定値が変更された設定項目から得られる特徴に基づいて、ワンタッチアプリの画面領域に表示させる指示欄の説明文を生成する制御を行う。この説明文を生成する制御は、親アプリからワンタッチアプリを生成する場合、又は、ワンタッチアプリを実行する場合に行われる。
【０１２０】
次に、図１６を参照して、第２の実施形態に係る画像形成装置１０の作用を説明する。
【０１２１】
図１６は、第２の実施形態に係るワンタッチアプリ生成時における制御プログラム１４Ａによる処理の流れの一例を示すフローチャートである。
【０１２２】
まず、画像形成装置１０が起動され、図４に示すホーム画面が表示部１６に表示されると、制御プログラム１４Ａが起動され、以下の各ステップを実行する。
【０１２３】
図１６のステップ１４０では、ワンタッチアプリ制御部３０が、一例として、上述の図５（Ａ）に示す親アプリ（本実施形態ではコピーアプリ）の画面領域から、ワンタッチアプリの生成の指示を受け付ける。
【０１２４】
ステップ１４２では、ワンタッチアプリ制御部３０が、ワンタッチアプリの設定値を受け付け、ワンタッチアプリ設定値として記憶部１４に記憶する。なお、親アプリの設定値は、親アプリ設定値として記憶部１４に予め記憶されている。
【０１２５】
ステップ１４４では、ワンタッチアプリ制御部３０が、記憶部１４から、親アプリ設定値及びワンタッチアプリ設定値を取得し、取得した親アプリ及びワンタッチアプリの各々の設定値を比較する。
【０１２６】
ステップ１４６では、ワンタッチアプリ制御部３０が、設定値が変更された設定項目を特定する。
【０１２７】
ステップ１４８では、ワンタッチアプリ制御部３０が、ステップ１４６で特定した設定項目の設定値を反映した説明文を生成し、表示部１６に表示させる。
【０１２８】
ステップ１５０では、ワンタッチアプリ制御部３０が、ユーザにより説明文が編集されたか否かを判定する。ユーザにより説明文が編集されたと判定した場合（肯定判定の場合）、ステップ１５２に移行し、ユーザにより説明文が編集されていないと判定した場合（否定判定の場合）、ステップ１５４に移行する。
【０１２９】
ステップ１５２では、ワンタッチアプリ制御部３０が、編集後の説明文をワンタッチアプリの属性として記憶部１４に格納し、ステップ１５６に移行する。
【０１３０】
一方、ステップ１５４では、ワンタッチアプリ制御部３０が、生成した説明文をワンタッチアプリの属性として記憶部１４に格納し、ステップ１５６に移行する。
【０１３１】
ステップ１５６では、ワンタッチアプリ制御部３０が、ワンタッチアプリのアイコンを登録し、本制御プログラム１４Ａによる一連の処理を終了する。
【０１３２】
次に、図１７を参照して、比較例に係るワンタッチアプリの説明文生成方法について説明する。
【０１３３】
図１７は、比較例に係るワンタッチアプリの説明文生成方法における画面遷移の一例を示す図である。
【０１３４】
（Ｓ１１）では、上述の図８でも説明したように、ワンタッチアプリの確認画面に表示させる説明文を入力するための説明文入力画面が表示される。ここでは、初期状態（デフォルト）の一例として、「原稿をセットしてスタートボタンを押して下さい。」という説明文が表示されている。
【０１３５】
（Ｓ１２）では、ワンタッチアプリの設定内容を選択するための設定内容選択画面が表示される。ユーザが「完了」ボタンを押圧操作すると、ワンタッチアプリが生成され、上述の図４に示すホーム画面に、ワンタッチアプリの一例である「ワンタッチアプリコピー」のアイコン４０が登録される。
【０１３６】
（Ｓ１３）では、ユーザが「ワンタッチアプリコピー」のアイコン４０を押圧操作すると、「ワンタッチアプリコピー」の設定項目リストを含む確認画面が表示される。この確認画面には、印刷部数欄の上側に、説明文を表示する指示欄が設けられており、この指示欄に上記（Ｓ１１）で入力した説明文「原稿をセットしてスタートボタンを押して下さい。」が表示されている。
【０１３７】
しかしながら、上記説明文は、定型的なもので、ワンタッチアプリの特徴を十分に反映したものではない。このため、ユーザはワンタッチアプリの特徴を反映した説明文を入力し直す必要がある。
【０１３８】
図１８は、本実施形態に係るワンタッチアプリの説明文生成方法における画面遷移の一例を示す図である。なお、この例では、親アプリからワンタッチアプリを生成する場合について説明する。
【０１３９】
（Ｓ２１）では、親アプリの一例であるコピーアプリの設定項目リストが表示されている。この設定項目リストのうち、一例として、「両面」、「給紙トレイ」、及び「縮小／拡大」の３つの設定項目の設定値を変更する。
【０１４０】
（Ｓ２２）では、ユーザが、一例として、「登録」ボタンを操作すると、設定値の登録目的を選択するための選択画面がポップアップ画面として表示される。ここでは、ユーザがワンタッチアプリを生成しようとしているため、表示された選択肢の中から、「ワンタッチアプリとして登録」という選択肢が選択される。
【０１４１】
（Ｓ２３）では、ワンタッチアプリの名前を入力するための名前入力画面が表示される。ここでは、ユーザが、一例として、「ワンタッチアプリコピー」という名前を入力する。そして、ユーザは「次へ」ボタンを押圧操作する。
【０１４２】
（Ｓ２４）では、ワンタッチアプリの説明文（インストラクション）を入力するための説明文入力画面が表示される。ここでは、初期状態（デフォルト）の一例として、「原稿をセットしてスタートボタンを押して下さい。」という説明文に代えて、上記（Ｓ２１）での設定値の変更を反映して、「全ての原稿をＡ４サイズにしてコピーします。原稿をセットしてスタートボタンを押して下さい。」という説明文が入力されている。
【０１４３】
図１９は、本実施形態に係るワンタッチアプリの説明文生成方法における画面遷移の他の例を示す図である。なお、この例では、ワンタッチアプリを新規に生成する場合について説明する。
【０１４４】
（Ｓ３１）では、「新規アプリ追加ボタン」を含むホーム画面が表示されており、ユーザが「新規アプリ追加ボタン」を押圧操作する。
【０１４５】
（Ｓ３２）では、ワンタッチアプリの元にするアプリを選択するためのアプリ選択画面が表示される。このアプリ選択画面では、コピーアプリ、ファックスアプリ、電子メールアプリ、及びスキャンアプリが選択可能とされている。そして、ユーザは、いずれかのアプリを選択した後に、「次へ」ボタンを押圧操作する。
【０１４６】
（Ｓ３３）では、上記アプリ選択画面で選択されたアプリの各設定項目についての設定値を変更するためのアプリ設定画面が表示される。そして、ユーザは、設定値の変更を行った後に、「次へ」ボタンを押圧操作する。
【０１４７】
（Ｓ３４）では、ワンタッチアプリの名前を入力するための名前入力画面が表示される。ここでは、ユーザが、一例として、「ワンタッチアプリコピー」という名前を入力する。そして、ユーザは「次へ」ボタンを押圧操作する。
【０１４８】
（Ｓ３５）では、ワンタッチアプリの説明文（インストラクション）を入力するための説明文入力画面が表示される。ここでは、初期状態（デフォルト）の一例として、「原稿をセットしてスタートボタンを押して下さい。」という説明文に代えて、上記（Ｓ３３）での設定値の変更を反映して、「全ての原稿をＡ４サイズにしてコピーします。原稿をセットしてスタートボタンを押して下さい。」という説明文が入力されている。
【０１４９】
次に、図２０（Ａ）、図２０（Ｂ）、及び図２０（Ｃ）を参照して、ワンタッチアプリを実行する場合に説明文を生成する形態について説明する。
【０１５０】
図２０（Ａ）は、本実施形態に係るホーム画面の他の例を示す正面図である。
また、図２０（Ｂ）は、ワンタッチアプリの生成時に説明文を生成した場合の確認画面の一例を示す正面図である。
また、図２０（Ｃ）は、ワンタッチアプリの実行時に説明文を生成した場合の確認画面の一例を示す正面図である。
【０１５１】
図２０（Ａ）に示すホーム画面には、ワンタッチアプリの一例である「ワンタッチアプリコピー」のアイコンが表示されている。
【０１５２】
例えば、ワンタッチアプリの生成時に、給紙トレイにはＡ４サイズの用紙が入っていたが、ワンタッチアプリの実行時に、給紙トレイの用紙を例えば「8.5" x 12"」に変更した場合を想定する。この場合、ワンタッチアプリの生成時に説明文を生成すると、図２０（Ｂ）に示す説明文「全ての原稿をＡ４サイズにしてコピーします。原稿をセットしてスタートボタンを押して下さい。」が表示されてしまう。これに対して、ワンタッチアプリの実行時に説明文を生成することにより、図２０（Ｃ）に示すように、「Ａ４」から「8.5" x 12"」への変更を反映した説明文、つまり、「全ての原稿を8.5" x 12"に揃えてコピーします。原稿をセットしてスタートボタンを押してください。」を表示させる。
【０１５３】
次に、電子メールアプリを適用した場合における説明文生成方法について説明する。
【０１５４】
図２１（Ａ）は、本実施形態に係る電子メールアプリのアドレス帳画面の一例を示す正面図である。
また、図２１（Ｂ）は、本実施形態に係る電子メールアプリのグループ編集画面の一例を示す正面図である。
【０１５５】
図２１（Ａ）に示すアドレス帳画面では、「開発チーム」というグループ名が登録されている。また、図２１（Ｂ）に示すグループ編集画面では、「開発チーム」に、「ｉｃｈｉｒｏ」、「Ｊｉｒｏ」、「Ｔａｒｏ」の３名の電子メールアドレスが登録されている。
【０１５６】
図２２は、比較例に係るワンタッチアプリの説明文生成方法における画面遷移の他の例を示す図である。
【０１５７】
（Ｓ４１）では、親アプリの一例である電子メールアプリの設定項目リストが表示されている。この設定項目リストのうち、一例として、グループ宛先として「宛先：開発チーム」を追加する。
【０１５８】
（Ｓ４２）では、ユーザが、一例として、「登録」ボタンを操作すると、設定値の登録目的を選択するための選択画面がポップアップ画面として表示される。ここでは、ユーザがワンタッチアプリを生成しようとしているため、表示された選択肢の中から、「ワンタッチアプリとして登録」という選択肢が選択される。
【０１５９】
（Ｓ４３）では、ワンタッチアプリの名前を入力するための名前入力画面が表示される。ここでは、ユーザが、一例として、「ＡＢＣプロジェクト設計依頼」という名前を入力する。そして、ユーザは「次へ」ボタンを押圧操作する。
【０１６０】
（Ｓ４４）では、ワンタッチアプリの説明文（インストラクション）を入力するための説明文入力画面が表示される。ここでは、初期状態（デフォルト）の一例として、「原稿をセットして送信ボタンを押して下さい。」という説明文が入力されている。
【０１６１】
（Ｓ４５）では、ワンタッチアプリの一例である「ＡＢＣプロジェクト設計依頼」のアイコンが表示されたホーム画面が表示されている。そして、ユーザは「ＡＢＣプロジェクト設計依頼」のアイコンを押圧操作する。
【０１６２】
（Ｓ４６）では、「ＡＢＣプロジェクト設計依頼」の宛先を含む確認画面が表示されるが、説明文としては、上記（Ｓ４４）で入力した説明文「原稿をセットして送信ボタンを押して下さい。」が表示されている。
【０１６３】
しかしながら、上記説明文は、定型的なものであり、ワンタッチアプリの特徴を十分に反映したものではない。このため、ユーザはワンタッチアプリの特徴を反映した説明文を入力し直す必要がある。
【０１６４】
図２３は、本実施形態に係るワンタッチアプリの説明文生成方法における画面遷移の他の例を示す図である。
【０１６５】
（Ｓ５１）では、ワンタッチアプリの説明文（インストラクション）を入力するための説明文入力画面が表示される。ここでは、初期状態（デフォルト）の一例として、「原稿をセットして送信ボタンを押して下さい。」という説明文に代えて、上記（Ｓ４１）での「宛先：開発チーム」の追加を反映して、「”開発チーム”のグループに属するアドレスが宛先となります。原稿をセットして送信ボタンを押して下さい。」という説明文が入力されている。
【０１６６】
（Ｓ５２）では、ユーザによりホーム画面の「ＡＢＣプロジェクト設計依頼」のアイコンが押圧操作されると、「ＡＢＣプロジェクト設計依頼」の宛先を含む確認画面が表示される。この場合、説明文としては、上記（Ｓ５１）で入力した説明文「”開発チーム”のグループに属するアドレスが宛先となります。原稿をセットして送信ボタンを押して下さい。」が表示されている。
【０１６７】
なお、電子メールアプリの場合、ワンタッチアプリの実行時に説明文を生成すると、グループ名が欠落した説明文が生成されてしまうため、ワンタッチアプリの生成時に説明文を生成することが望ましい。
【０１６８】
以上、実施形態に係る情報処理装置の一例として画像形成装置を例示して説明した。実施形態は、画像形成装置が備える各部の機能をコンピュータに実行させるためのプログラムの形態としてもよい。実施形態は、このプログラムを記憶したコンピュータが読み取り可能な記憶媒体の形態としてもよい。
【０１６９】
その他、上記実施形態で説明した画像形成装置の構成は、一例であり、主旨を逸脱しない範囲内において状況に応じて変更してもよい。
【０１７０】
また、上記実施形態で説明したプログラムの処理の流れも、一例であり、主旨を逸脱しない範囲内において不要なステップを削除したり、新たなステップを追加したり、処理順序を入れ替えたりしてもよい。
【０１７１】
また、上記実施形態では、プログラムを実行することにより、実施形態に係る処理がコンピュータを利用してソフトウェア構成により実現される場合について説明したが、これに限らない。実施形態は、例えば、ハードウェア構成や、ハードウェア構成とソフトウェア構成との組み合わせによって実現してもよい。
【符号の説明】
【０１７２】
１０   画像形成装置
１２   制御部
１２Ａ ＣＰＵ
１２Ｂ ＲＯＭ
１２Ｃ ＲＡＭ
１２Ｄ Ｉ／Ｏ
１４   記憶部
１４Ａ 制御プログラム
１６   表示部
１８   操作部
２０   画像形成部
２２   原稿読取部
２４   通信部
３０   ワンタッチアプリ制御部
４０   アイコン
５０   端末装置
９０   画像形成システム
【図１】
2020028034.tif 000003
【図２】
2020028034.tif 000004
【図３】
2020028034.tif 000005
【図４】
2020028034.tif 000006
【図５】
2020028034.tif 000007
【図６】
2020028034.tif 000008
【図７】
2020028034.tif 000009
【図８】
2020028034.tif 000010
【図９】
2020028034.tif 000011
【図１０】
2020028034.tif 000012
【図１１】
2020028034.tif 000013
【図１２】
2020028034.tif 000014
【図１３】
2020028034.tif 000015
【図１４】
2020028034.tif 000016
【図１５】
2020028034.tif 000017
【図１６】
2020028034.tif 000018
【図１７】
2020028034.tif 000019
【図１８】
2020028034.tif 000020
【図１９】
2020028034.tif 000021
【図２０】
2020028034.tif 000022
【図２１】
2020028034.tif 000023
【図２２】
2020028034.tif 000024
【図２３】
2020028034.tif 000025